(57)【要約】【課題】水滴が排水管に直接落下することにより発生する異音を抑制することができる排水ソケットを提供する。【解決手段】排水管側接続管部材において、床下排水管側の出口部には、洗浄水を床下排水管へと導くための導流手段が設けられており、導流手段は、排水管側接続管部材の出口部の開口の周縁に沿って、床下排水管に向かって下方に傾斜する第１下降壁と、第１下降壁の下方端から排水管側接続管部材の出口部の開口の外周方向へ延び、床下排水管に向かって更に下方へ傾斜する第２下降壁と、によって形成されている。【選択図】図１
2014181441.tif 000002
【特許請求の範囲】
【請求項１】
水洗大便器の便器本体の排水路の出口部と、この出口部とは水平方向において偏心した位置の床下に設けられた床下排水管の入口部とを連結する排水ソケットであって、
前記便器本体の排水路の出口部に接続される便器本体側接続管部材と、
前記床下排水管の入口部に接続される排水管側接続管部材と、
前記便器本体側接続管部材と前記排水管側接続管部材とを接続する略直線状に延びる中間管部材と、を有し、
前記排水管側接続管部材において、前記床下排水管側の出口部には、洗浄水を前記床下排水管へと導くための導流手段が設けられており、
前記導流手段は、前記排水管側接続管部材の出口部の開口の周縁に沿って、前記床下排水管に向かって下方に傾斜する第１下降壁と、前記第１下降壁の下方端から前記排水管側接続管部材の出口部の開口の外周方向へ延び、前記床下排水管に向かって更に下方へ傾斜する第２下降壁と、によって形成されていることを特徴とする排水ソケット。
【発明の詳細な説明】
【技術分野】
【０００１】
本発明は、排水ソケットに係わり、特に、水栓大便器の便器本体の排水路の出口部と床下に設けられた床下排水管の入口部とを連結する排水ソケットに関する。
【背景技術】
【０００２】
従来の水洗大便器は、ボウル部の下方にその入口が接続され汚物を排出するトラップ管路を有し、トラップ管路内及びボウル部下部に溜められた溜水により、床下排水管内で発生した臭気や衛生害虫の侵入を防止している。トラップ管路の封水深が浅くなると、床下排水管内部で発生した圧力変動によって溜水が流出する恐れがあるため、封水深５０mm以上１００ｍｍ以下の溜水を貯留することを建築基準法施工令が求めている。便器洗浄時には、一般的には、タンクに貯留した洗浄水や水道水からバルブを介して、トラップ管路の溢流水位を、余裕を持って超える程度の給水量が、ボウル部へ向けて供給されるようになっている。
【０００３】
ボウル部に水を供給するシスターンタンク、および、フラッシュバルブは一般的に給水管路が急閉止することはなく、徐々に管路が閉止されて給水量率が低下するようになっている。そのため、給水途中は勢い良くトラップ管路の溢流水位を乗り越えていた洗浄水も、管路閉止直前には、流量が減って少しずつトラップ管路の溢流水位を乗り越えるようになる。最終的には、洗浄水がトラップ管路の出口部から排水ソケットを介して床下排水管へと流れる際に、その洗浄水は、水滴となり、床下排水管へ落下することとなる。
また、サイホン作用によって汚物を排出する便器の場合、汚物と共にボウル部内の溜水がトラップ管路の出口部側に導かれ封水深５０ｍｍを下回るため、封水を補うための補給水がボウル部に供給される。この場合の補給水は、多めに設定されているため、トラップ管路の溢流水位を乗り越えるようになる。最終的には、洗浄水がトラップ管路の出口部から排水ソケットを介して床下排水管へと流れる際に、その洗浄水は、水滴となり、床下排水管へ落下することとなる。
このようにして発生した水滴が、トラップ管路の出口部から排水ソケットを介して、床下排水管へと直接落下することで、床下排水管内にて共鳴し、「ポチャポチャ」というような異音が発生するという問題があった。
【０００４】
そこで、特許文献１のように、水滴が下水管に直接落下することにより生じる異音を防ぐために、便器用床フランジの円筒部を下水管内に挿着する便器用床フランジと下水管との接続構造において、該円筒部の内壁から下水管の内壁に向けて水滴の排水路となる開口部を設けているものが知られている。
【先行技術文献】
【特許文献】
【０００５】
【特許文献１】特開２００４−１５００４９号公報
【発明の概要】
【発明が解決しようとする課題】
【０００６】
特許文献１に記載の発明では、便器用床フランジの内壁を伝わって流れてきた水滴については、下水管に直接落下せずに、下水管の内壁を伝わって流れていくため、上述した異音の発生を防止することはできる。しかしながら、便器用床フランジの内壁を伝わって流れてこなかった水滴については、下水管に直接落下してしまい、異音を抑制しきれないという問題があった。
【０００７】
本発明は、上記問題を解決するためになされたものであり、水滴が排水管に直接落下することにより発生する異音を抑制することができる排水ソケットを提供することを目的としている。
【課題を解決するための手段】
【０００８】
本発明に係る排水ソケットは、水洗大便器の便器本体の排水路の出口部と、この出口部とは水平方向において偏心した位置の床下に設けられた床下排水管の入口部とを連結する排水ソケットであって、前記便器本体の排水路の出口部に接続される便器本体側接続管部材と、前記床下排水管の入口部に接続される排水管側接続管部材と、前記便器本体側接続管部材と前記排水管側接続管部材とを接続する略直線状に延びる中間管部材と、を有し、前記排水管側接続管部材において、前記床下排水管側の出口部には、洗浄水を前記床下排水管へと導くための導流手段が設けられており、前記導流手段は、前記排水管側接続管部材の出口部の開口の周縁に沿って、前記床下排水管に向かって下方に傾斜する第１下降壁と、前記第１下降壁の下方端から前記排水管側接続管部材の出口部の開口の外周方向へ延び、前記床下排水管に向かって更に下方へ傾斜する第２下降壁と、によって形成されている。
【０００９】
これにより、水滴となった洗浄水を、排水管側接続管部材の流路の内壁から床下排水管の内壁へと誘導することができる。また、導流手段は、排水管側接続管部材の出口部の開口の周縁に沿って、床下排水管に向かって下方に傾斜する第１下降壁と、第１下降壁の下方端から排水管側接続管部材の出口部の開口の外周方向へ延び、床下排水管に向かって更に下方へ傾斜する第２下降壁と、によって形成されているため、傾斜角度を十分に確保することができる。そのため、水滴となった洗浄水が、排水管側接続管部材から床下排水管内へと直接落下することを抑制することができる。
【発明の効果】
【００１０】
本発明によれば、水滴が排水管に直接落下することにより発生する異音を抑制することができる排水ソケットを提供することができる。
【図面の簡単な説明】
【００１１】
【図１】本発明の実施例における排水ソケットを備えた便器を示す側面図である。
【図２】本発明の実施例における排水ソケットを示す側面図である。
【図３】本発明の実施例における排水管側接続管部材の平面斜視図である。
【図４】本発明の実施例における排水管側接続管部材の底面図である。
【図５】本発明の実施例における排水管側接続管部材の底面斜視図である。
【図６】本発明の実施例における排水フランジの平面斜視図である。
【図７】図１の一部断面図である。
【図８】図７の点線の四角形で囲まれた部分の拡大図
【図９】図８の点線の丸で囲まれた部分の拡大図である。
【発明を実施するための形態】
【００１２】
本発明の実施例について、図１〜図９を用いて説明する。
図１は、本発明の実施例における排水ソケットを備えた便器を示す側面図であり、排水ソケットを視認できるよう便器の一部を切り欠いている。
【００１３】
図１に示すように、本発明では、便器１は、汚物を受けるボウル部（図示なし）を有しており、ボウル部の下流には、ボウル部から汚物を排出するための排水路２が形成されている。排水路２には、ボウル部とは反対側の端部に、床面Ｆに向けて開口した出口部２ａが形成されている。また、床面Ｆに床下排水管３が埋設されており、床下排水管３の上端には、上方に向けて開口した入口部３ａが形成されている。床下排水管３の入口部３ａには、排水フランジ４が挿入されている。排水路２と排水フランジ４が挿入された床下排水管３との間には、これらを接続するために排水ソケット５が設けられている。
【００１４】
図２は、本発明の実施例における排水ソケットを示す側面図である。
排水ソケット５は、図２に示すように、大きく分けると、便器側接続管部材６と、排水管側接続管部材７と、便器側接続管部材６と排水管側接続管部材７とを接続するための中間管部材８との３部材で構成されている。
【００１５】
便器側接続管部材６には、上流側に便器１と接続される入口部６ａが設けられており、下流側に中間管部材８と接続される出口部６ｂが設けられている。排水管側接続管部材７には、上流側に中間管部材８と接続される入口部７ａが設けられており、下流側には排水フランジ４を介して床下排水管３に接続される出口部７ｂが設けられている。また、中間管部材８は、両端が開口された筒状であり、便器側接続管部材６と接続される入口部８ａと、排水管側接続管部材７と接続される出口部８ｂが設けられている。なお、便器側接続管部材６および排水管側接続管部材７についても、両端は開口している。
【００１６】
上記３部材は、便器側接続管部材６の入口部６ａに排水路２の出口部２ａが挿入されることで、便器１と便器側接続管部材６が接続され、便器側接続管部材６の出口部６ｂに中間管部材８の入口部８ａが挿入されることで、便器側接続管部材６と中間管部材８とが接続される。また、排水管側接続管部材７の入口部７ａに中間管部材８の出口部８ｂが挿入されることで、中間管部材８と排水管側接続管部材７とが接続される。排水管側接続管部材７の出口部７ｂは、排水フランジ４を介して床下排水管３の入口部３ａと接続される。このように３部材を接続することにより、便器１と床下排水管３とが連結される。
【００１７】
図３から図５を用いて、本発明の実施例における排水管側接続管部材について説明する。図３から図５は、それぞれ、本発明の実施例における排水管側接続管部材の平面斜視図、底面図、底面斜視図である。
【００１８】
図３から図５に示すように、排水管側接続管部材７は、床面Ｆに排水管側接続管部材７を固定するためのフランジ部７ｃが設けられている。フランジ部７ｃには、挿入孔７ｄが２つ形成されている。
【００１９】
図４および図５に示すように、本発明の実施例では、排水管側接続管部材７の出口部７ｂの開口の周囲に、洗浄水を床下排水管３へと導くための導流手段が３つ設けられている。以下、それぞれの導流手段を、第１導流手段、第２導流手段、第３導流手段とよぶ。
【００２０】
排水管側接続管部材７は、第１導流手段として、略くの字形状の第１傾斜部９１を有している。第１傾斜部９１は、図４において、排水管側接続管部材７の出口部７ｂの開口の周縁に沿って、反時計回りに床下排水管３（図示なし）に向かって下方に傾斜する第１下降壁９１ａと、第１下降壁９１ａの下方端から排水管側接続管部材７の出口部７ｂの開口の外周方向へ延び、床下排水管３（図示なし）に向かって更に下方へ傾斜する第２下降壁９１ｂと、によって形成されている。また、排水管側接続管部材７は、第２導流手段として、略くの字形状の第２傾斜部９２を有している。第２傾斜部９２は、図４において、排水管側接続管部材７の出口部７ｂの開口の周縁に沿って、時計回りに床下排水管３（図示なし）に向かって下方に傾斜する第１下降壁９２ａと、第１下降壁９２ａの下方端から排水管側接続管部材７の出口部７ｂの開口の外周方向へ延び、床下排水管３（図示なし）に向かって更に下方へ傾斜する第２下降壁９２ｂと、によって形成されている。さらに、排水管側接続管部材７は、第３導流手段として、略Ｔ字形状の第３傾斜部９３を有している。第３傾斜部９３は、図４において、排水管側接続管部材７の出口部７ｂの開口の周縁に沿って、反時計回りに床下排水管３（図示なし）に向かって下方に傾斜する第１下降壁９３ａと、排水管側接続管部材７の出口部７ｂの開口の周縁に沿って、時計回りに床下排水管３（図示なし）に向かって下方に傾斜する第１下降壁９３ｂと、第１下降壁９３ａおよび第１下降壁９３ｂの下方端から排水管側接続管部材７の出口部７ｂの開口の外周方向へ延び、床下排水管３（図示なし）に向かって更に下方へ傾斜する第２下降壁９３ｃと、によって形成されている。
【００２１】
ここで、第１傾斜部９１、第２傾斜部９２および第３傾斜部９３は、排水管側接続管部材７の出口部７ｂの開口の周囲において、排水管側接続管部材７の入口部７ａが設けられている側に設けられている。これは、排水路２の溢流水位を超えて少しずつ流れてきた洗浄水が、排水管側接続管部材７の出口部７ｂの流路において、主に排水管側接続管部材７の入口部７ａが設けられている側を流れるためである。
【００２２】
なお、本実施例では、それぞれの第１下降壁が排水管側接続管部材７の出口部７ｂの開口の周縁に沿って、床下排水管３に向かって下方に傾斜する方向は、中間管部材８または便器側接続管部材６が接続されている方向とは離れる方向となっている。そのため、図４において、第１傾斜部９１の第１下降壁９１ａでは、反時計回りに床下排水管３に向かって下方に傾斜し、第２傾斜部９２の第１下降壁９２ａは、反時計回りに床下排水管３に向かって下方に傾斜し、第３傾斜部９３の第１下降壁９３ａ、９３ｂでは、それぞれ反時計回り、時計回りに床下排水管３に向かって下方に傾斜している。時計回りおよび反時計回りとは、図４の紙面における方向をさしている。
【００２３】
図６は、本発明の実施例における排水フランジの平面斜視図である。
図６に示すように、排水フランジ４は、円筒形状の管路部４１と、床フランジ部４２と、を備え、管路部４１および床フランジ部４２は、連続して形成されている。床フランジ部４２は、ネジ等により床面Ｆに排水フランジ４を固定するためのネジ穴４２ａと、床面Ｆに固定された排水フランジ４に排水管側接続管部材７を固定させるための固定穴４２ｂと、水滴となった洗浄水を受ける受け部４２ｃと、が形成されている。
【００２４】
図４、図６および図９を用いて、排水管側接続管部材７と床下排水管３との接続方法について説明する。
図７は、図１の一部断面図であり、排水管側接続管部材、床下排水管および排水フランジの断面図を示している。図８は、図７の点線の四角形で囲まれた部分の拡大図であり、図９は、図８の点線の丸で囲まれた部分の拡大図である。
【００２５】
排水管側接続管部材７を床面Ｆに固定する際には、まず、排水フランジ４を床面Ｆに固定する。具体的には、床下排水管３の入口部３ａに排水フランジ４を挿入し、排水フランジ４の位置決めを行う。その後、排水フランジ４のネジ穴４２ａにネジをねじ込む。このようにして、排水フランジ４が床面Ｆに固定される。次に、排水フランジ４に排水管側接続管部材７を固定する。具体的には、排水管側接続管部材７の挿入孔７ｄにボルトを挿入する。そして、そのボルトを床面Ｆに固定された排水フランジ４の固定穴４２ｂに挿入し、ナットで締める。これにより、排水管側接続管部材７が排水フランジ４に固定される。排水管側接続管部材７が排水フランジ４に固定されると、排水管側接続管部材７が床面Ｆに固定されることとなる。
【００２６】
次に、洗浄水の流れについて図１および図９を用いて、本発明の実施例における洗浄水の流れ方について説明する。
便器洗浄時には、図示しないボウル部から排出される洗浄水は、勢い良く、排水路２から排水ソケット５を通って、排水フランジ４を介し、床下排水管３へと流れていく（図１参照）。しかしながら、便器洗浄時には、図示しないボウル部から排出される洗浄水は、勢い良く排水路２の溢流水位を乗り越えていたが、便器洗浄終了時には、図示しないボウル部から排出される洗浄水は、その量が次第に減り、少しずつ排水路２の溢流水位を乗り越え、排水ソケット５へと流れるようになる。そして、排水ソケット５へと流れてきた洗浄水は、流量が少ないため、排水管側接続管部材７の出口部７ｂの流路において、主に排水管側接続管部材７の入口部７ａが設けられている側の流路の内壁に沿って流れる。このようにして流れてきた洗浄水は、第１傾斜部９１の第１下降壁９１ａから第２下降壁９１ｂ、第２傾斜部９２の第１下降壁９２ａから第２下降壁９２ｂおよび第３傾斜部９３の第１下降壁９３ａ、９３ｂから第２下降壁９３ｃのいずれかに沿って流れていく。そして、第１傾斜部９１、第２傾斜部９２または第３傾斜部９３を流れてきた洗浄水は、排水フランジ４の受け部４２ｃへと流れていく。排水フランジ４の受け部４２ｃに流れてきた洗浄水は、管路部４１の内周面に沿って流れた後、床下排水管３の内壁へと移り、床下排水管３内を流れていく（図７参照）。
【００２７】
すなわち、洗浄水が排水ソケット５を通り、床下排水管３へと流れていく途中で水滴になったとしても、その水滴は、第１傾斜部９１の第１下降壁９１ａから第２下降壁９１ｂ、第２傾斜部９２の第１下降壁９２ａから第２下降壁９２ｂおよび第３傾斜部９３の第１下降壁９３ａ、９３ｂから第２下降壁９３ｃのいずれかに沿って流れた後、排水フランジ４の受け部４２ｃへと流れていく。排水フランジ４の受け部４２ｃに流れてきた水滴は、管路部４１の内周面に沿って流れた後、床下排水管３の内壁へと移り、床下排水管３内を流れていく。このように、水滴となった洗浄水を、排水管側接続管部材７の流路の内壁から床下排水管３の内壁へと誘導することができる。そのため、水滴となった洗浄水が排水管側接続管部材７から床下排水管３内へと直接落下することを抑制することができる。よって、水滴の落下による異音の発生を抑制することができる。また、導流手段は、略くの字形状または略Ｔ字形状を有しているため、傾斜角度を十分に確保することができる。これにより、水滴となった洗浄水を排水フランジ４へと誘導することができる。そのため、水滴となった洗浄水が、排水管側接続管部材７から床下排水管３内へと直接落下することを抑制することができる。よって、水滴となった洗浄水が排水管内を直接落下することによって生じる異音を抑制することができる。便器交換時の排水管切断工程を配慮し、配管内部で水を沿わせるための傾斜量が十分に確保できない場合であっても、異音発生防止効果を得ることができる。
【００２８】
また、排水管側接続管部材７の出口部７ｂの開口の周囲に、導流手段が複数設けられていることにより、排水管側接続管部材７の出口部６ａへと流れてきた洗浄水は、第１傾斜部９１、第２傾斜部９２および第３傾斜部９３の何れかへ流れていく。このように、洗浄水が複数の導流手段へと分散して流れていくため、洗浄水が水滴となったとしても、その水滴が導流手段に沿って流れている途中で床下排水管３内へ直接落下してしまうことを抑制することができる。
【００２９】
また、洗浄水を床下排水管３へと排水する流路に抵抗となる部分が発生しないように、導流手段は、排水管側接続管部材７の出口部７ｂの開口の外側に設けられている。そのため、汚物の排出性能を低下させずに、洗浄水を床下排水管３の内壁へと誘導することができる。
【００３０】
なお、本実施例における排水ソケット５は、横引管の中間管部材８を有しているが、縦引管の中間管部材でもよい。
また、本実施例では、導流手段が３つ設けられているが、このような形態に限定されず、導流手段が２つ以上設けられていればよい。
【符号の説明】
【００３１】
１  便器
２  排水路
２ａ  出口部
３  床下排水管
３ａ  入口部
４  排水フランジ
４１  管路部
４２  床フランジ部
４２ａ  ネジ穴
４２ｂ  固定穴
４２ｃ  受け部
５  排水ソケット
６  便器側接続管部材
６ａ  入口部
６ｂ  出口部
７  排水管側接続管部材
７ａ  入口部
７ｂ  出口部
８  中間管部材
８ａ  入口部
８ｂ  出口部
９１、９２、９３  導流手段
９１  第１傾斜部
９１ａ  第１下降壁
９１ｂ  第２下降壁
９２  第２傾斜部
９２ａ  第１下降壁
９２ｂ  第２下降壁
９３  第３傾斜部
９３ａ、９３ｂ  第１下降壁
９３ｃ  第２下降壁
【図１】
2014181441.tif 000003
【図２】
2014181441.tif 000004
【図３】
2014181441.tif 000005
【図４】
2014181441.tif 000006
【図５】
2014181441.tif 000007
【図６】
2014181441.tif 000008
【図７】
2014181441.tif 000009
【図８】
2014181441.tif 000010
【図９】
2014181441.tif 000011